(57)【特許請求の範囲】
【請求項１】
コンテンツ提供会社であるのを認識できる会社認識情報の登録を受ける動画再生案内用アプリ共有案内管理サーバー（１００）と、
学習、教育または映画を含む動画コンテンツを保有し、前記動画再生案内用アプリ共有案内管理サーバー（１００）に会社認識情報を登録する複数のコンテンツ提供会社サーバー（２００）と、
前記各コンテンツ提供会社サーバー（２００）に接続して動画コンテンツのダウンロードを要請することを実行する移動通信端末器（３００）であって、前記要請された動画コンテンツのダウンロードを制御し、前記動画再生案内用アプリ共有案内管理サーバー（１００）に、前記動画コンテンツのダウンロードを要請した当該コンテンツ提供会社の会社認識情報のダウンロードを要請して会社認識情報をダウンロードし、前記ダウンロードされた会社認識情報をパーシングして前記ダウンロードされた当該動画コンテンツに組み込み、前記ダウンロードされた動画コンテンツがどのコンテンツ提供会社の所有するものであるかをユーザーにより認識して視聴可能であるように案内する共有動画再生案内用アプリ（３１０）を有する複数の移動通信端末器（３００）と、からなることを特徴とする、一つの動画再生案内用アプリを複数のコンテンツ提供会社が使用可能であるように管理する移動通信基盤の管理システム。
【請求項２】
前記各コンテンツ提供会社サーバー（２００）が会社認識情報を登録する場合、前記動画再生案内用アプリ共有案内管理サーバー（１００）は、前記会社認識情報が登録された、コンテンツ提供会社を識別できる会社識別コードを生成し、前記生成された会社識別コードを前記各コンテンツ提供会社サーバー（２００）に提供し、
前記各コンテンツ提供会社サーバー（２００）は、前記移動通信端末器（３００）により動画コンテンツのダウンロードが要請される時に、前記提供された会社識別コードを前記移動通信端末器（３００）に提供し、
前記移動通信端末器（３００）の共有動画再生案内用アプリ（３１０）は、前記動画再生案内用アプリ共有案内管理サーバー（１００）への当該コンテンツ提供会社の会社認識情報のダウンロードを要請する時に、その提供されたコンテンツ提供会社の会社識別コードを前記動画再生案内用アプリ共有案内管理サーバー（１００）に伝送することによって、前記動画再生案内用アプリ共有案内管理サーバー（１００）が当該コンテンツ提供会社に関する会社認識情報を認識可能であるように提供することを特徴とする請求項１に記載の一つの動画再生案内用アプリを複数のコンテンツ提供会社が使用可能であるように管理する移動通信基盤の管理システム。
【請求項３】
前記動画再生案内用アプリ共有案内管理サーバー（１００）には、前記移動通信端末器（３００）に搭載された前記共有動画再生案内用アプリ（３１０）の実行を要請するアプリ呼出エンジンが保存され、
前記各コンテンツ提供会社サーバー（２００）が会社認識情報を登録する場合、前記動画再生案内用アプリ共有案内管理サーバー（１００）は、前記アプリ呼出エンジンを前記各コンテンツ提供会社サーバー（２００）に提供し、
前記各コンテンツ提供会社サーバー（２００）は、前記移動通信端末器（３００）により動画コンテンツのダウンロードが要請される時に、前記提供されたアプリ呼出エンジンを前記移動通信端末器（３００）に伝送し、
前記移動通信端末器（３００）は、前記コンテンツ提供会社サーバー（２００）からアプリ呼出エンジンが伝送されれば、前記共有動画再生案内用アプリ（３１０）が実行されるように制御することを特徴とする請求項１に記載の一つの動画再生案内用アプリを複数のコンテンツ提供会社が使用可能であるように管理する移動通信基盤の管理システム。
【請求項４】
前記会社認識情報は、コンテンツ提供会社の会社名、コンテンツ提供会社のドメイン名及びコンテンツ提供会社の会社識別イメージのうちの少なくとも一つを含むことを特徴とする請求項１に記載の一つの動画再生案内用アプリを複数のコンテンツ提供会社が使用可能であるように管理する移動通信基盤の管理システム。
【請求項５】
前記共有動画再生案内用アプリ（３１０）は、動画コンテンツを再生する動画再生ユニット（３３１）を有する動画視聴案内画面（３３０）を含み、
前記動画視聴案内画面（３３０）の前記動画再生ユニット（３３１）においては、再生及び停止ボタン（３３２）、早送りボタン（３３３）並びに巻き戻しボタン（３３４）を含む動画視聴基本ボタンモードがユーザーにより操作可能であるように表示され、
前記動画再生案内用アプリ共有案内管理サーバー（１００）は、前記各コンテンツ提供会社サーバー（２００）により会社認識情報が登録される時に前記動画再生ユニット（３３１）に表示された動画視聴基本ボタンモードと共に提供される、動画の業種別に動画視聴時に必要とする複数の動画視聴関連必要オプション機能を選択的に追加可能な動画視聴オプションボタン選択モードを案内し、
前記各コンテンツ提供会社サーバー（２００）は、前記案内された動画視聴オプションボタン選択モードに表示される複数の動画視聴関連必要オプション機能のうちの必要な機能を個別に選択し、
前記動画再生案内用アプリ共有案内管理サーバー（１００）は、前記各コンテンツ提供会社サーバー（２００）により選択された複数の動画視聴関連必要オプション機能からなる選択動画視聴オプションボタン選択モードを保存することを特徴とする請求項１に記載の一つの動画再生案内用アプリを複数のコンテンツ提供会社が使用可能であるように管理する移動通信基盤の管理システム。
【請求項６】
前記動画視聴オプションボタン選択モードに表示される複数の動画視聴関連必要オプション機能は、前記移動通信端末器に表示される動画再生ユニットの位置を横または縦に固定を要請する指定画面固定ボタン（３３５）、ユーザーが当該コンテンツ提供会社により提供する動画コンテンツの最近視聴した内訳の閲覧を要請する最近視聴内訳閲覧ボタン（３３６）、ユーザーが指定する視聴区間の繰り返しを要請する指定区間繰り返しボタン（３３７）、再生される動画コンテンツの倍速を設定する動画倍速ボタン（３３８）、ユーザーが再生中の動画コンテンツの重要区間をスクリプトしてそのスクリプトされた再生区間から再生できるように要請する視聴特定区間選択用ブックマークボタン（３３９）、画面の明るさを調節する上下動作用ジェスチャ（３４３）及びプログレスバーを調節する左右動作用ジェスチャ（３４４）のうちの少なくとも２つを含むことを特徴とする請求項５に記載の一つの動画再生案内用アプリを複数のコンテンツ提供会社が使用可能であるように管理する移動通信基盤の管理システム。
【請求項７】
前記動画再生案内用アプリ共有案内管理サーバー（１００）は、前記各移動通信端末器（３００）による会社認識情報のダウンロード要請時に、前記保存された各コンテンツ提供会社サーバー（２００）の選択動画視聴オプションボタン選択モードを、前記ダウンロード要請された当該コンテンツ提供会社の会社認識情報に集合して伝送するように制御することを特徴とする請求項５に記載の一つの動画再生案内用アプリを複数のコンテンツ提供会社が使用可能であるように管理する移動通信基盤の管理システム。
【請求項８】
前記移動通信端末器（３００）の共有動画再生案内用アプリ（３１０）は、ユーザーによりダウンロードされた動画コンテンツの視聴要請の発生時に、前記動画視聴案内画面（３３０）の動画再生ユニット（３３１）を通じて前記選択動画視聴オプションボタン選択モードを成す複数の動画視聴関連必要オプション機能がユーザーにより操作可能であるように表示されるように制御することを特徴とする請求項７に記載の一つの動画再生案内用アプリを複数のコンテンツ提供会社が使用可能であるように管理する移動通信基盤の管理システム。
【請求項９】
各コンテンツ提供会社サーバー（２００）は、動画再生案内用アプリ共有案内管理サーバー（１００）に接続してコンテンツ提供会社であることを認識できる会社認識情報を登録すると、前記動画再生案内用アプリ共有案内管理サーバー（１００）は、前記会社認識情報を保存する段階（Ｓ１００）と、
前記動画再生案内用アプリ共有案内管理サーバー（１００）は、その会社認識情報が登録された、コンテンツ提供会社を識別するコードである会社識別コードを生成し、前記生成された会社識別コードと共有動画再生案内用アプリの実行を要請するアプリ呼出エンジンとを集合した後、当該コンテンツ提供会社サーバー（２００）に伝送する段階（Ｓ１１０）と、
移動通信端末器（３００）を用いて、前記動画再生案内用アプリ共有案内管理サーバー（１００）により提供される共有動画再生案内用アプリ（３１０）をダウンロードして設置する段階（Ｓ１２０）と、
前記移動通信端末器（３００）は、前記コンテンツ提供会社サーバー（２００）に接続して前記コンテンツ提供会社サーバー（２００）で保有した動画コンテンツのリストの案内を受け、その案内された動画コンテンツのリストのうちの視聴を希望する当該動画コンテンツを選択してダウンロードを要請する段階（Ｓ１３０）と、
前記コンテンツ提供会社サーバー（２００）は、視聴を希望する当該動画コンテンツを選択した前記移動通信端末器（３００）に、会社識別コード及びアプリ呼出エンジンを集合してなったアプリ実行制御信号を伝送する段階（Ｓ１４０）と、
前記移動通信端末器（３００）は、前記伝送されたアプリ実行制御信号に含まれているアプリ呼出エンジンを参照して共有動画再生案内用アプリ（３１０）を実行する段階（Ｓ１５０）と、
前記移動通信端末器（３００）で実行された前記共有動画再生案内用アプリ（３１０）は、前記伝送された会社識別コードを含む会社認識情報ダウンロード要請信号を生成して前記動画再生案内用アプリ共有案内管理サーバー（１００）に伝送する段階（Ｓ１６０）と、
前記動画再生案内用アプリ共有案内管理サーバー（１００）は、前記伝送された会社認識情報ダウンロード要請信号に含まれている会社識別コードとマッチングされる当該コンテンツ提供会社の会社認識情報を前記移動通信端末器（３００）に伝送する段階（Ｓ１７０）と、
前記移動通信端末器（３００）の共有動画再生案内用アプリ（３１０）は、前記会社認識情報をパーシングして前記コンテンツ提供会社サーバー（２００）からダウンロードされた動画コンテンツに組み込み、前記ダウンロードされた動画コンテンツがどのコンテンツ提供会社の所有するものであるかをユーザーにより認識して視聴可能であるように案内する段階（Ｓ１８０）と、からなることを特徴とする一つの動画再生案内用アプリを複数のコンテンツ提供会社が使用可能であるように管理する移動通信基盤の管理方法。
【請求項１０】
前記コンテンツ提供会社サーバー（２００）は、視聴を希望する当該動画コンテンツを選択した前記移動通信端末器（３００）に、会社識別コード及びアプリ呼出エンジンを集合してなったアプリ実行制御信号を伝送する段階（Ｓ１４０）において、
前記コンテンツ提供会社サーバー（２００）は、前記アプリ実行制御信号に前記視聴を希望する当該動画コンテンツの保存位置を示すＶＯＤ  ＵＲＬ情報を集合して前記移動通信端末器（３００）に伝送するように制御する段階（Ｓ１４１）、を含むことを特徴とする請求項９に記載の一つの動画再生案内用アプリを複数のコンテンツ提供会社が使用可能であるように管理する移動通信基盤の管理方法。
【請求項１１】
前記移動通信端末器（３００）の共有動画再生案内用アプリ（３１０）は、前記会社認識情報をパーシングして前記コンテンツ提供会社サーバー（２００）からダウンロードされた動画コンテンツに組み込み、前記ダウンロードされた動画コンテンツがどのコンテンツ提供会社の所有するものであるかをユーザーにより認識して視聴可能であるように案内する段階（Ｓ１８０）は、
前記移動通信端末器（３００）の共有動画再生案内用アプリ（３１０）は、前記動画再生案内用アプリ共有案内管理サーバー（１００）から前記コンテンツ提供会社の会社認識情報が伝送されれば、前記ＶＯＤ  ＵＲＬ情報を前記コンテンツ提供会社サーバー（２００）に伝送する段階（Ｓ１８１）と、
前記コンテンツ提供会社サーバー（２００）は、前記伝送されたＶＯＤ  ＵＲＬ情報とマッチングされる動画コンテンツを前記移動通信端末器（３００）に伝送する段階（Ｓ１８２）と、
前記移動通信端末器（３００）は、前記伝送された動画コンテンツを保存する段階（Ｓ１８３）と、
前記移動通信端末器（３００）の共有動画再生案内用アプリ（３１０）は、前記ダウンロードされた動画コンテンツの視聴要請があるか確認する段階（Ｓ１８４）と、
前記移動通信端末器（３００）の共有動画再生案内用アプリ（３１０）は、前記ダウンロードされた動画コンテンツの視聴要請がある場合、前記会社認識情報をパーシングして前記ダウンロードされた動画コンテンツに組み込み、前記ダウンロードされた動画コンテンツがどのコンテンツ提供会社の所有するものであるかをユーザーにより認識可能であるように表示する段階（Ｓ１８５）と、からなることを特徴とする請求項１０に記載の一つの動画再生案内用アプリを複数のコンテンツ提供会社が使用可能であるように管理する移動通信基盤の管理方法。
【請求項１２】
前記移動通信端末器（３００）の共有動画再生案内用アプリ（３１０）は、前記ダウンロードされた動画コンテンツの視聴要請がある場合、前記会社認識情報をパーシングして前記ダウンロードされた動画コンテンツに組み込み、そのダウンロードされた動画コンテンツがどのコンテンツ提供会社の所有なのかユーザーが認識することができるように表示する段階（Ｓ１８５）の後に、
前記移動通信端末器（３００）の共有動画再生案内用アプリ（３１０）は、前記表示された会社認識情報をパーシングして組み込まれた動画コンテンツが選択されると、動画再生ユニット（３３１）を備えた動画視聴案内画面（３３０）を出力し、前記出力された動画視聴案内画面（３３０）の動画再生ユニット（３３１）を通じて前記選択された動画コンテンツが出力されるように制御する段階（Ｓ１８６）、をさらに含むことを特徴とする請求項１１に記載の一つの動画再生案内用アプリを複数のコンテンツ提供会社が使用可能であるように管理する移動通信基盤の管理方法。
【請求項１３】
前記移動通信端末器（３００）の共有動画再生案内用アプリ（３１０）は、前記会社認識情報をパーシングして前記コンテンツ提供会社サーバー（２００）からダウンロードされた動画コンテンツに組み込み、前記ダウンロードされた動画コンテンツがどのコンテンツ提供会社の所有なのかユーザーが認識して視聴することができるように案内する段階（Ｓ１８０）において、
前記移動通信端末器（３００）の共有動画再生案内用アプリ（３１０）は、その伝送される会社認識情報を保存することを特徴とする請求項９に記載の一つの動画再生案内用アプリを複数のコンテンツ提供会社が使用可能であるように管理する移動通信基盤の管理方法。
【請求項１４】
前記コンテンツ提供会社サーバー（２００）は、動画再生案内用アプリ共有案内管理サーバー（１００）に接続してコンテンツ提供会社であることを認識できる会社認識情報を登録すると、前記動画再生案内用アプリ共有案内管理サーバー（１００）は、前記会社認識情報を保存する段階（Ｓ１００）において、
前記各コンテンツ提供会社サーバー（２００）は、会社認識情報が変更される場合にその変更された会社認識情報を追加的に登録し、
前記動画再生案内用アプリ共有案内管理サーバー（１００）は、追加的に登録されたその変更された会社認識情報に更新して保存することを特徴とする請求項１３に記載の一つの動画再生案内用アプリを複数のコンテンツ提供会社が使用可能であるように管理する移動通信基盤の管理方法。
【請求項１５】
前記移動通信端末器（３００）の共有動画再生案内用アプリ（３１０）は、前記会社認識情報をパーシングして前記コンテンツ提供会社サーバー（２００）からダウンロードされた動画コンテンツに組み込み、前記ダウンロードされた動画コンテンツがどのコンテンツ提供会社の所有するものであるかをユーザーにより認識して視聴可能であるように案内する段階（Ｓ１８０）において、
前記移動通信端末器（３００）の共有動画再生案内用アプリ（３１０）は、前記伝送された会社認識情報を保存した以後に、同一のコンテンツ提供会社の会社認識情報が追加的に前記動画再生案内用アプリ共有案内管理サーバー（１００）から伝送された場合、伝送される前に保存された会社認識情報と伝送された会社認識情報とを比較して異なる場合、伝送された会社認識情報に更新して保存することを特徴とする請求項１４に記載の一つの動画再生案内用アプリを複数のコンテンツ提供会社が使用可能であるように管理する移動通信基盤の管理方法。
【請求項１６】
前記移動通信端末器（３００）の共有動画再生案内用アプリ（３１０）は、前記会社認識情報をパーシングして前記コンテンツ提供会社サーバー（２００）からダウンロードされた動画コンテンツに組み込み、前記ダウンロードされた動画コンテンツがどのコンテンツ提供会社の所有するものであるかをユーザーにより認識して視聴可能であるように案内する段階（Ｓ１８０）において、
前記移動通信端末器（３００）の共有動画再生案内用アプリ（３１０）は、ダウンロードされた動画コンテンツが少なくとも２つであり、且つ前記少なくとも２つのダウンロードされた動画コンテンツが異なるコンテンツ提供会社サーバー（２００）からダウンロードされた場合に、それぞれのコンテンツ提供会社サーバー（２００）を運営するそれぞれのコンテンツ提供会社の会社認識情報をパーシングして当該コンテンツ提供会社の動画コンテンツにそれぞれ組み込み、当該それぞれのコンテンツ提供会社の会社認識情報をユーザーが認識可能であるように案内することを特徴とする請求項９に記載の一つの動画再生案内用アプリを複数のコンテンツ提供会社が使用可能であるように管理する移動通信基盤の管理方法。
【請求項１７】
前記会社認識情報は、コンテンツ提供会社の会社名、コンテンツ提供会社のドメイン名及びコンテンツ提供会社の会社識別イメージのうちの少なくとも一つを含むことを特徴とする請求項９に記載の一つの動画再生案内用アプリを複数のコンテンツ提供会社が使用可能であるように管理する移動通信基盤の管理方法。
【請求項１８】
前記動画視聴案内画面（３３０）の動画再生ユニット（３３１）は、再生及び停止ボタン（３３２）、早送りボタン（３３３）、巻き戻しボタン（３３４）を含む動画視聴基本ボタンモードはユーザーが操作することができるように表示されることを特徴とする請求項１２に記載の一つの動画再生案内用アプリを複数のコンテンツ提供会社が使用可能であるように管理する移動通信基盤の管理方法。
【請求項１９】
前記各コンテンツ提供会社サーバー（２００）は、動画再生案内用アプリ共有案内管理サーバー（１００）に接続してコンテンツ提供会社であることを認識できる会社認識情報を登録すると、前記動画再生案内用アプリ共有案内管理サーバー（１００）は、前記会社認識情報を保存する段階（Ｓ１００）において、
前記動画再生案内用アプリ共有案内管理サーバー（１００）は、前記各コンテンツ提供会社サーバー（２００）により会社認識情報が登録される時に前記動画再生ユニット（３３１）に表示された動画視聴基本ボタンモードと共に提供される、動画の業種別に動画視聴時に必要とする複数の動画視聴関連必要オプション機能を選択的に追加可能な動画視聴オプションボタン選択モードを案内し、
前記各コンテンツ提供会社サーバー（２００）は、前記案内された動画視聴オプションボタン選択モードに表示される複数の動画視聴関連必要オプション機能のうちの必要な機能を個別に選択し、
前記動画再生案内用アプリ共有案内管理サーバー（１００）は、前記各コンテンツ提供会社サーバー（２００）により選択された複数の動画視聴関連必要オプション機能からなる選択動画視聴オプションボタン選択モードを保存することを特徴とする請求項１８に記載の一つの動画再生案内用アプリを複数のコンテンツ提供会社が使用可能であるように管理する移動通信基盤の管理方法。
【請求項２０】
前記動画再生案内用アプリ共有案内管理サーバー（１００）は、前記伝送された会社認識情報ダウンロード要請信号に含まれている会社識別コードとマッチングされる当該コンテンツ提供会社の会社認識情報を前記移動通信端末器（３００）に伝送する段階（Ｓ１７０）において、
前記動画再生案内用アプリ共有案内管理サーバー（１００）は、前記各移動通信端末器（３００）による会社認識情報のダウンロード要請時に、前記保存された各コンテンツ提供会社サーバー（２００）の選択動画視聴オプションボタン選択モードを、前記ダウンロード要請された当該コンテンツ提供会社の会社認識情報に集合して伝送するように制御することを特徴とする請求項１９に記載の一つの動画再生案内用アプリを複数のコンテンツ提供会社が使用可能であるように管理する移動通信基盤の管理方法。
【請求項２１】
前記移動通信端末器（３００）の共有動画再生案内用アプリ（３１０）は、前記表示された会社認識情報をパーシングして組み込まれた動画コンテンツが選択されると、動画再生ユニット（３３１）を備えた動画視聴案内画面（３３０）を出力し、前記出力された動画視聴案内画面（３３０）の動画再生ユニット（３３１）を通じて前記選択された動画コンテンツが出力されるように制御する段階（Ｓ１８６）において、
前記移動通信端末器（３００）の共有動画再生案内用アプリ（３１０）は、前記動画視聴案内画面（３３０）の動画再生ユニット（３３１）において、前記動画視聴基本ボタンモードと前記選択動画視聴オプションボタン選択モードとを成す複数の動画視聴関連必要オプション機能がユーザーにより操作可能であるように表示して出力されるように制御することを特徴とする請求項２０に記載の一つの動画再生案内用アプリを複数のコンテンツ提供会社が使用可能であるように管理する移動通信基盤の管理方法。
【請求項２２】
前記動画視聴オプションボタン選択モードに表示される複数の動画視聴関連必要オプション機能は、前記移動通信端末器に表示される動画再生ユニットの位置を横または縦に固定を要請する指定画面固定ボタン（３３５）、ユーザーが当該コンテンツ提供会社でサービスする動画コンテンツの最近視聴した内訳の閲覧を要請する最近視聴内訳閲覧ボタン（３３６）、ユーザーが指定する視聴区間の繰り返しを要請する指定区間繰り返しボタン（３３７）、再生される動画コンテンツの倍速を設定する動画倍速ボタン（３３８）、ユーザーが再生中の動画コンテンツの重要区間をスクリプトしてそのスクリプトされた再生区間から再生されるように要請する視聴特定区間選択用ブックマークボタン（３３９）、画面の明るさを調節する上下動作用ジェスチャ（３４３）及びプログレスバーを調節する左右動作用ジェスチャ（３４４）のうちの少なくとも２つを含むことを特徴とする請求項２１に記載の一つの動画再生案内用アプリを複数のコンテンツ提供会社が使用可能であるように管理する移動通信基盤の管理方法。
【請求項２３】
前記動画再生案内用アプリ共有案内管理サーバー（１００）は、前記伝送された会社認識情報ダウンロード要請信号に含まれている会社識別コードとマッチングされる当該コンテンツ提供会社の会社認識情報を前記移動通信端末器（３００）に伝送する段階（Ｓ１７０）において、
前記動画再生案内用アプリ共有案内管理サーバー（１００）は、前記各移動通信端末器（３００）による会社認識情報のダウンロード要請時に、前記登録された会社認識情報に含まれるコンテンツ提供会社のドメイン名を、前記ダウンロード要請された当該コンテンツ提供会社の会社認識情報に集合して伝送するように制御することを特徴とする請求項１７に記載の一つの動画再生案内用アプリを複数のコンテンツ提供会社が使用可能であるように管理する移動通信基盤の管理方法。
【請求項２４】
前記移動通信端末器（３００）の共有動画再生案内用アプリ（３１０）は、前記伝送された会社認識情報を保存し、ユーザーが視聴する動画コンテンツの視聴関連内訳を参照して視聴関連イベント内訳情報を収集し、前記収集された視聴関連イベント内訳情報を、前記会社認識情報に含まれている動画提供会社のドメインに伝送するように制御し、
動画提供会社サーバー（２００）は、前記伝送される当該ユーザーの視聴関連イベント内訳情報を参照してユーザー分析を行うことを特徴とする請求項２３に記載の一つの動画再生案内用アプリを複数のコンテンツ提供会社が使用可能であるように管理する移動通信基盤の管理方法。
【請求項２５】
前記視聴関連イベント内訳情報は、共有動画再生案内用アプリ（３１０）の実行時点にイベントが発生するｂｅｇｉｎ_ａｐｐイベント情報、動画コンテンツの再生時点にイベントが発生するｂｅｇｉｎ_ｃｏｎｔｅｎｔイベント情報、動画コンテンツの終了時点にイベントが発生するｅｎｄ_ｃｏｎｔｅｎｔイベント情報、動画コンテンツのダウンロード時にイベントが発生するｄｏｗｎｌｏａｄ_ｃｏｎｔｅｎｔイベント情報、動画コンテンツの削除時にイベントが発生するｄｅｌｅｔｅ_ｃｏｎｔｅｎｔイベント情報、移動通信端末器の機器情報登録アクション時にイベントが発生するｒｅｇｉｓｔｅｒ_ｄｅｖｉｃｅ_ｉｄイベント情報及び移動通信端末器の機器情報削除アクション時にイベントが発生するｕｎｒｅｇｉｓｔｅｒ_ｄｅｖｉｃｅ_ｉｄイベント情報のうちの少なくとも一つを含むことを特徴とする請求項２４に記載の一つの動画再生案内用アプリを複数のコンテンツ提供会社が使用可能であるように管理する移動通信基盤の管理方法。
【発明の詳細な説明】
【技術分野】
【０００１】
本発明は各コンテンツ提供会社がコンテンツ提供会社であるのを認識できる会社認識情報を登録することができるように案内する手段及び移動通信端末器を通じてダウンロードした動画コンテンツのコンテンツ提供会社を識別してそのダウンロードした各動画コンテンツに前記登録された当該コンテンツ提供会社の会社認識情報をパーシングする手段によって、ユーザーが移動通信端末器を通じてダウンロードした動画コンテンツがどのコンテンツ提供会社の所有なのか認識できるように案内して一つの動画再生案内用アプリでも実現可能であって、コンテンツ提供会社に動画再生案内用アプリを個別的に製作しなければならないことによって引き起こされる開発労力浪費、開発費用浪費及び開発時間浪費を事前に遮断させるか最小化させる利点と多様な業種のコンテンツ提供会社がサービスする動画コンテンツの場合、学習、教育または映画観覧などによって動画コンテンツの視聴案内時の視聴に必要な視聴関連付加機能が異なるため、コンテンツ提供会社ごとに自分の業種によって多様な視聴関連付加機能のうちの自分の業種ごとに必要な付加機能を加減選別して選択することができるように案内する手段を通じて一つの動画再生案内用アプリでも多様な業種の動画コンテンツの視聴意図に合うように最適化した視聴サービスを提供する利点を有する一つの動画再生案内用アプリを複数のコンテンツ提供会社が使用可能であるように管理する移動通信基盤の管理システム及び方法を提供することを特徴とする。
【背景技術】
【０００２】
インターネット技術が急速に発展することによって、インターネットを基盤として提供されるサービスの種類も多様化している。
インターネットを基盤として提供される多様なサービスの中の映画鑑賞または教育、学習など動画情報を視聴することができるように案内する動画視聴サービスは時間や空間の制約なくリアルタイムで提供を受けることができる利点によってユーザーがネズミ算式に増加している傾向にある。
【０００３】
このように、ユーザーが動画視聴サービスを用いるためにはインターネットサービスの可能な個人用コンピュータ（ＰＣ）が備えられなければならないが、最近、移動通信サービスの発達によって移動通信端末器を用いても動画視聴サービスの提供を受けることができるようになった。
【０００４】
つまり、移動通信サービスの場合、１世代移動通信サービスはアナログ方式であり、２世代移動通信サービスはデジタル方式であって大容量の動画伝送サービスが不可能であった反面、現在サービスされている３世代移動通信サービスは一名ＩＭＴ−２０００といって固定通信網サービスに一つ以上の無線リンクを用いて接続するようにする移動通信システムであって、既存通信システムの最も大きい問題点である端末器の移動性とリアルタイム動画伝送技術の実現を可能にするだけでなく、位置追跡、音声認識などの先端技術と結合して多様なマルチメディアサービスを移動通信網を通じて遂行することができるように提供している。
【０００５】
ユーザーがこのような移動通信サービスを通じて動画視聴サービスを利用しようとする場合には自分が所有している移動通信端末器に動画再生機能など動画を視聴することに必要な動画視聴サービスを提供する動画再生案内用アプリケーション（以下、「動画再生案内用アプリ」と称する）が搭載されなければならない。
【０００６】
このように、動画視聴サービスを提供する動画再生案内用アプリはコンテンツ提供会社（ＣＰ、Ｃｏｎｔｅｎｔ  Ｐｒｏｖｉｄｅｒ）が保有している学習や映画などを含む動画情報をユーザーらに提供するためにコンテンツ提供会社で製作され、ユーザーらは当該コンテンツ提供会社で保有している動画情報の視聴を希望する場合、コンテンツ提供会社で製作された動画再生案内用アプリを移動通信端末器でダウンロードして搭載した後にサービスを受ければ良い。
【０００７】
ところでコンテンツ提供会社で製作される動画再生案内用アプリはコンテンツ提供会社ごとに個別的に製作して配布し、その理由として第１に、学習動画コンテンツを提供するコンテンツ提供会社の業種特性上有名講師の学習動画コンテンツを確保している所であるのを知らせる手段である会社名、サービス名または会社識別イメージなどの会社認識情報がユーザーが認識できるように動画再生案内用アプリに含まれていなければならない。
【０００８】
第２に、学習動画コンテンツの視聴案内時、視聴に必要な多様な視聴関連付加機能、即ち、移動通信端末器に表示される動画再生ユニットの位置を横または縦に固定を要請する機能、ユーザーが当該コンテンツ提供会社でサービスする動画コンテンツの最近視聴した内訳の閲覧を要請する機能、ユーザーが指定する視聴区間の繰り返しを要請する指定区間繰り返し機能、再生される動画コンテンツの倍速を設定する動画倍速機能、ユーザーが再生中の動画コンテンツの重要区間をスクリプトし、そのスクリプトされた再生区間から再生できるように要請する視聴特定区間選択用ブックマーク機能、画面の明るさを調節する機能及びプログレスバーを調節する機能などその数が多いが、学習や映画などの多様な動画関連業種ごとに必要とする付加機能を加減選別して採択しなければならないためである。
【０００９】
そのため、学習、教育または映画などの多様な動画コンテンツを提供する動画関連会社は移動通信サービス基盤で動画視聴サービスを提供しようとする場合、各会社ごとに動画再生案内用アプリを個別的に製作しなければならない問題点がある。
【００１０】
このような問題点は移動通信サービスを基盤とするコンテンツ提供会社に動画再生案内用アプリを個別的に製作しなければならないことによって引き起こされる開発労力浪費、開発費用浪費及び開発時間浪費を招く弊害を招く。
【発明の概要】
【発明が解決しようとする課題】
【００１１】
本発明は前記従来の技術の問題点を解決するためのものであって、本発明の目的は、各コンテンツ提供会社がコンテンツ提供会社であるのを認識できる会社認識情報を登録することができるように案内する手段及び移動通信端末器を通じてダウンロードした動画コンテンツのコンテンツ提供会社を識別してそのダウンロードした各動画コンテンツごとに前記登録された当該コンテンツ提供会社の会社認識情報をパーシングする手段によって、ユーザーが移動通信端末器を通じてダウンロードした動画コンテンツがどのコンテンツ提供会社の所有なのか認識できるように案内して一つの動画再生案内用アプリでも実現可能な、一つの動画再生案内用アプリを複数のコンテンツ提供会社が使用可能であるように管理する移動通信基盤の管理システム及び方法を提供することにある。
【００１２】
本発明の他の目的は、多様な業種のコンテンツ提供会社でサービスする動画コンテンツの場合、学習、教育または映画観覧などによって動画コンテンツの視聴案内時の視聴に必要な視聴関連付加機能が異なるため、コンテンツ提供会社ごとに自分の業種によって多様な視聴関連付加機能のうちの自分の業種ごとに必要な付加機能を加減選別して選択することができるように案内する手段が備えられた、一つの動画再生案内用アプリを複数のコンテンツ提供会社が使用可能であるように管理する移動通信基盤の管理システム及び方法を提供することにある。
【課題を解決するための手段】
【００１３】
本発明を達成するための技術的な思想として、本発明の一つの動画再生案内用アプリを複数のコンテンツ提供会社が使用可能であるように管理する移動通信基盤の管理システムは、コンテンツ提供会社であるのを認識できる会社認識情報の登録を受ける動画再生案内用アプリ共有案内管理サーバーと、学習、教育または映画を含む動画コンテンツを保有した所であって、前記アプリ共有案内管理サーバーに会社認識情報を登録する複数のコンテンツ提供会社サーバーと、前記各コンテンツ提供会社サーバーに接続して動画コンテンツのダウンロードを要請することを実行する移動通信端末器であって、前記要請された動画コンテンツのダウンロードを制御し、前記動画再生案内用アプリ共有案内管理サーバーに、前記動画コンテンツのダウンロードを要請した当該コンテンツ提供会社の会社認識情報のダウンロードを要請して会社認識情報をダウンロードし、前記ダウンロードされた会社認識情報をパーシングして前記ダウンロードされた当該動画コンテンツに組み込み、前記ダウンロードされた動画コンテンツがどのコンテンツ提供会社の所有するものであるかをユーザーにより認識して視聴可能であるように案内する共有動画再生案内用アプリを有する複数の移動通信端末器と、からなる。
【００１４】
前記動画再生案内用アプリ共有案内管理サーバーは、前記各コンテンツ提供会社サーバーに会社認識情報を登録すると、その会社認識情報を登録したコンテンツ提供会社を識別できる会社識別コードを生成し、前記生成された会社識別コードを前記各コンテンツ提供会社サーバーに提供し、前記各コンテンツ提供会社サーバーは、前記移動通信端末器により動画コンテンツのダウンロードが要請される時に、前記提供された会社識別コードを前記移動通信端末器に提供し、前記移動通信端末器の共有動画再生案内用アプリは前記動画再生案内用アプリ共有案内管理サーバーにより当該コンテンツ提供会社の会社認識情報のダウンロード要請時にその提供されたコンテンツ提供会社の会社識別コードを前記動画再生案内用アプリ共有案内管理サーバーに伝送することによって、前記動画再生案内用アプリ共有案内管理サーバーが当該コンテンツ提供会社の会社認識情報を認識可能であるように提供する。
【００１５】
前記動画再生案内用アプリ共有案内管理サーバーには、前記移動通信端末器に搭載された前記共有動画再生案内用アプリの実行を要請するアプリ呼出エンジンが保存され、前記動画再生案内用アプリ共有案内管理サーバーは、前記各コンテンツ提供会社サーバーに会社認識情報を登録すると、前記アプリ呼出エンジンを前記各コンテンツ提供会社サーバーに提供し、前記各コンテンツ提供会社サーバーは、前記移動通信端末器により動画コンテンツのダウンロード要請される時に、前記提供されたアプリ呼出エンジンを前記移動通信端末器に伝送し、前記移動通信端末器は、前記コンテンツ提供会社サーバーからアプリ呼出エンジンが伝送されると、前記共有動画再生案内用アプリが実行されるように制御する。
【００１６】
前記共有動画再生案内用アプリは、動画コンテンツを再生する動画再生ユニットを有する動画視聴案内画面を含み、前記動画視聴案内画面の動画再生ユニットにおいては、再生及び停止ボタン、早送りボタン、巻き戻しボタンを含む動画視聴基本ボタンモードがユーザーにより操作可能であるように表示され、前記アプリ共有案内管理サーバーは、前記各コンテンツ提供会社サーバーにより会社認識情報が登録される時、前記動画再生ユニットに表示された動画視聴基本ボタンモードと共に提供される、動画の業種別に動画視聴時に必要とする複数の動画視聴関連必要オプション機能を選択的に追加可能な動画視聴オプションボタン選択モードを案内し、前記各コンテンツ提供会社サーバーは、前記案内された動画視聴オプションボタン選択モードに表示される複数の動画視聴関連必要オプション機能のうちの必要な機能を個別に選択し、前記アプリ共有案内管理サーバーは、前記各コンテンツ提供会社サーバーにより選択された複数の動画視聴関連必要オプション機能からなる選択動画視聴オプションボタン選択モードを保存する。
【００１７】
前記移動通信端末器の共有動画再生案内用アプリは、ユーザーによりダウンロードされた動画コンテンツの視聴要請の発生時に、前記動画視聴案内画面の動画再生ユニットを通じて前記選択動画視聴オプションボタン選択モードを成す複数の動画視聴関連必要オプション機能がユーザーらにより操作可能であるように表示されるように制御する。
【００１８】
本発明の一つの動画再生案内用アプリを複数のコンテンツ提供会社が使用可能であるように管理する移動通信基盤の管理システムを用いて、一つの動画再生案内用アプリを複数のコンテンツ提供会社が使用可能であるように管理する方法は、各コンテンツ提供会社サーバーは、動画再生案内用アプリ共有案内管理サーバーに接続してコンテンツ提供会社であることを認識できる会社認識情報を登録すると、前記アプリ共有案内管理サーバーは、前記会社認識情報を保存する段階と、前記動画再生案内用アプリ共有案内管理サーバーは、その会社認識情報を登録したコンテンツ提供会社を識別するコードである会社識別コードを生成し、前記生成された会社識別コードと共有動画再生案内用アプリの実行を要請するアプリ呼出エンジンとを集合した後、当該コンテンツ提供会社サーバーに伝送する段階と、移動通信端末器を用いて、前記動画再生案内用アプリ共有案内管理サーバーにより提供される共有動画再生案内用アプリをダウンロードして設置する段階と、前記移動通信端末器は、前記コンテンツ提供会社サーバーに接続して前記コンテンツ提供会社サーバーで保有した動画コンテンツのリストの案内を受け、その案内された動画コンテンツのリストのうちの視聴を希望する当該動画コンテンツを選択してダウンロードを要請する段階と、前記コンテンツ提供会社サーバーは、視聴を希望する当該動画コンテンツを選択した前記移動通信端末器に会社識別コード及びアプリ呼出エンジンを集合してなったアプリ実行制御信号を伝送する段階と、前記移動通信端末器は、前記伝送されたアプリ実行制御信号に含まれているアプリ呼出エンジンを参照して共有動画再生案内用アプリを実行する段階と、前記移動通信端末器で実行された前記共有動画再生案内用アプリは、前記伝送された会社識別コードを含む会社認識情報ダウンロード要請信号を生成して前記動画再生案内用アプリ共有案内管理サーバーに伝送する段階と、前記動画再生案内用アプリ共有案内管理サーバーで前記伝送された会社認識情報ダウンロード要請信号に含まれている会社識別コードとマッチングされる当該コンテンツ提供会社の会社認識情報を前記移動通信端末器に伝送する段階と、前記移動通信端末器の共有動画再生案内用アプリは、前記会社認識情報をパーシングして前記コンテンツ提供会社サーバーからダウンロードされた動画コンテンツに組み込み、前記ダウンロードされた動画コンテンツがどのコンテンツ提供会社の所有するものであるかをユーザーにより認識して視聴可能であるように案内する段階と、からなる。
【００１９】
前記コンテンツ提供会社サーバーは、視聴を希望する当該動画コンテンツを選択した前記移動通信端末器に、会社識別コード及びアプリ呼出エンジンを集合してなったアプリ実行制御信号を伝送する段階において、前記コンテンツ提供会社サーバーは、前記アプリ実行制御信号に前記視聴を希望する当該動画コンテンツの保存位置を示すＶＯＤ  ＵＲＬ情報を集合して前記移動通信端末器に伝送するように制御する段階、を含む。
【００２０】
前記移動通信端末器の共有動画再生案内用アプリは、前記会社認識情報をパーシングして前記コンテンツ提供会社サーバーからダウンロードされた動画コンテンツに組み込み、前記ダウンロードされた動画コンテンツがどのコンテンツ提供会社の所有するものであるかをユーザーにより認識して視聴可能であるように案内する段階は、前記移動通信端末器の共有動画再生案内用アプリは、前記動画再生案内用アプリ共有案内管理サーバーから前記コンテンツ提供会社の会社認識情報が伝送されると、前記ＶＯＤ  ＵＲＬ情報を前記コンテンツ提供会社サーバーに伝送する段階と、前記コンテンツ提供会社サーバーは、前記伝送されたＶＯＤ  ＵＲＬ情報とマッチングされる動画コンテンツを前記移動通信端末器に伝送する段階と、前記移動通信端末器は、前記伝送された動画コンテンツを保存する段階と、前記移動通信端末器の共有動画再生案内用アプリは、前記ダウンロードされた動画コンテンツの視聴要請があるか確認する段階と、前記移動通信端末器の共有動画再生案内用アプリは、前記ダウンロードされた動画コンテンツの視聴要請がある場合、前記会社認識情報をパーシングして前記ダウンロードされた動画コンテンツに組み込み、前記ダウンロードされた動画コンテンツがどのコンテンツ提供会社の所有するものであるかをユーザーにより認識可能であるように表示する段階と、からなる。
【発明の効果】
【００２１】
本発明は各コンテンツ提供会社がコンテンツ提供会社であるのを認識することができる会社認識情報を登録することができるように案内する手段及び移動通信端末器を通じてダウンロードした動画コンテンツのコンテンツ提供会社を識別してそのダウンロードした各動画コンテンツごとに前記登録された当該コンテンツ提供会社の会社認識情報をパーシングする手段によって、ユーザーが移動通信端末器を通じてダウンロードした動画コンテンツがどのコンテンツ提供会社の所有なのか認識することができるように案内して一つの動画再生案内用アプリでも実現可能で、コンテンツ提供会社に動画再生案内用アプリを個別的に製作しなければならないことによって引き起こされる開発労力浪費、開発費用浪費及び開発時間浪費を事前に遮断させるか最小化させる効果を発揮する。
【００２２】
また、本発明は多様な業種のコンテンツ提供会社でサービスする動画コンテンツの場合に学習、教育または映画観覧などによって動画コンテンツの視聴案内時の視聴に必要な視聴関連付加機能が異なるためコンテンツ提供会社ごとに自分の業種によって多様な視聴関連付加機能のうちの自分の業種ごとに必要な付加機能を加減選別して選択することができるように案内する手段を通じて一つの動画再生案内用アプリでも多様な業種の動画コンテンツの視聴意図に合うように最適化された視聴サービスを提供する効果もある。
【図面の簡単な説明】
【００２３】
【図１】本発明の一つの動画再生案内用アプリを複数のコンテンツ提供会社が使用可能であるように管理する移動通信基盤の管理システムを示すシステム構成図である。
【図２】本発明の一つの動画再生案内用アプリを複数のコンテンツ提供会社が使用可能であるように管理する移動通信基盤の管理システムの構成のうちの動画再生案内用アプリ共有案内管理サーバーを示すブロック構成図である。
【図３】本発明の一つの動画再生案内用アプリを複数のコンテンツ提供会社が使用可能であるように管理する移動通信基盤の管理システムの構成のうちの移動通信端末器を示すブロック構成図である。
【図４】本発明の一つの動画再生案内用アプリを複数のコンテンツ提供会社が使用可能であるように管理する移動通信基盤の管理システムの構成のうちの各コンテンツ提供会社サーバーで会社認識情報を登録するために動画再生案内用アプリ共有案内管理サーバーに接続時に案内される会社認識情報登録画面を示した図面である。
【図５】本発明の一つの動画再生案内用アプリを複数のコンテンツ提供会社が使用可能であるように管理する移動通信基盤の管理システムの構成のうちの移動通信端末器に表示される共有動画再生案内用アプリの動作要請アイコンを選択時に出力されるものであって、動画視聴関連案内画面目録に含まれているコンテンツ提供会社選択画面を示した図面である。
【図６】本発明の一つの動画再生案内用アプリを複数のコンテンツ提供会社が使用可能であるように管理する移動通信基盤の管理システムの構成のうちの移動通信端末器に表示されるコンテンツ提供会社選択画面で動画コンテンツの視聴を希望する当該コンテンツ提供会社を選択時に出力されるものであって、動画視聴関連案内画面目録に含まれている動画視聴案内画面上に選択動画視聴オプションボタン選択モード情報が表示されたものを示した図面である。
【図７】動画視聴案内画面上に表示された選択動画視聴オプションボタン選択モード情報のうちの指定画面固定ボタンを選択時に設定される機能を示した図面である。
【図８】動画視聴案内画面上に表示された選択動画視聴オプションボタン選択モード情報のうちの最近視聴内訳閲覧ボタンを選択時に設定される機能を示した図面である。
【図９】動画視聴案内画面上に表示された選択動画視聴オプションボタン選択モード情報のうちの指定区間繰り返しボタンを選択時に設定される機能を示した図面である。
【図１０】動画視聴案内画面上に表示された選択動画視聴オプションボタン選択モード情報のうちの動画倍速ボタンを選択時に設定される機能を示した図面である。
【図１１】動画視聴案内画面上に表示された選択動画視聴オプションボタン選択モード情報のうちの視聴特定区間選択用ブックマークボタンを選択時に設定される機能を示した図面である。
【図１２】動画視聴案内画面上に表示された選択動画視聴オプションボタン選択モード情報のうちの指定区間画面の明るさを調節する上下動作用ジェスチャ及び左右動作用ジェスチャを選択時に設定される機能を示した図面である。
【図１３】本発明の一つの動画再生案内用アプリを複数のコンテンツ提供会社が使用可能であるように管理する移動通信基盤の管理システムを用いて一つの動画再生案内用アプリを複数のコンテンツ提供会社が使用可能であるように管理する方法を示すフローチャートである。
【図１４】本発明の一つの動画再生案内用アプリを複数のコンテンツ提供会社が使用可能であるように管理する移動通信基盤の管理システムを用いて一つの動画再生案内用アプリを複数のコンテンツ提供会社が使用可能であるように管理する方法を示すフローチャートである。
【発明を実施するための形態】
【００２４】
以下、本発明の実施形態の構成及び作用について添付した図面を参照しながら詳しく説明する。
【００２５】
図１は本発明の一つの動画再生案内用アプリを複数のコンテンツ提供会社が使用可能であるように管理する移動通信基盤の管理システムを示すシステム構成図であり、図２は本発明の一つの動画再生案内用アプリを複数のコンテンツ提供会社が使用可能であるように管理する移動通信基盤の管理システムの構成のうちの動画再生案内用アプリ共有案内管理サーバーを示すブロック構成図であり、図３は本発明の一つの動画再生案内用アプリを複数のコンテンツ提供会社が使用可能であるように管理する移動通信基盤の管理システムの構成のうちの移動通信端末器を示すブロック構成図であり、図４は本発明の一つの動画再生案内用アプリを複数のコンテンツ提供会社が使用可能であるように管理する移動通信基盤の管理システムの構成のうちの各コンテンツ提供会社サーバーで会社認識情報を登録するために動画再生案内用アプリ共有案内管理サーバーに接続時に案内される会社認識情報登録画面を示した図面であり、図５は本発明の一つの動画再生案内用アプリを複数のコンテンツ提供会社が使用可能であるように管理する移動通信基盤の管理システムの構成のうちの移動通信端末器に表示される共有動画再生案内用アプリの動作要請アイコンを選択時に出力されるものであって、動画視聴関連案内画面目録に含まれているコンテンツ提供会社選択画面を示した図面であり、図６は本発明の一つの動画再生案内用アプリを複数のコンテンツ提供会社が使用可能であるように管理する移動通信基盤の管理システムの構成のうちの移動通信端末器に表示されるコンテンツ提供会社選択画面で動画コンテンツの視聴を希望する当該コンテンツ提供会社を選択時に出力されるものであって、動画視聴関連案内画面目録に含まれている動画視聴案内画面上に選択動画視聴オプションボタン選択モード情報が表示されたものを示した図面であり、図７は動画視聴案内画面上に表示された選択動画視聴オプションボタン選択モード情報のうちの指定画面固定ボタンを選択時に設定される機能を示した図面であり、図８は動画視聴案内画面上に表示された選択動画視聴オプションボタン選択モード情報のうちの最近視聴内訳閲覧ボタンを選択時に設定される機能を示した図面であり、図９は動画視聴案内画面上に表示された選択動画視聴オプションボタン選択モード情報のうちの指定区間繰り返しボタンを選択時に設定される機能を示した図面であり、図１０は動画視聴案内画面上に表示された選択動画視聴オプションボタン選択モード情報のうちの動画倍速ボタンを選択時に設定される機能を示した図面であり、図１１は動画視聴案内画面上に表示された選択動画視聴オプションボタン選択モード情報のうちの視聴特定区間選択用ブックマークボタンを選択時に設定される機能を示した図面であり、図１２は動画視聴案内画面上に表示された選択動画視聴オプションボタン選択モード情報のうちの指定区間画面の明るさを調節する上下動作用ジェスチャ及び左右動作用ジェスチャを選択時に設定される機能を示した図面であり、図１３及び図１４は本発明の一つの動画再生案内用アプリを複数のコンテンツ提供会社が使用可能であるように管理する移動通信基盤の管理システムを用いて一つの動画再生案内用アプリを複数のコンテンツ提供会社が使用可能であるように管理する方法を示すフローチャートである。
【００２６】
図面に示されているように、本発明の一つの動画再生案内用アプリを複数のコンテンツ提供会社が使用可能であるように管理する移動通信基盤の管理システムは、大きく動画再生案内用アプリ共有案内管理サーバー１００、複数のコンテンツ提供会社サーバー２００及び複数の移動通信端末器３００からなる。
【００２７】
まず、動画再生案内用アプリ共有案内管理サーバー１００は、コンテンツ提供会社であるのを認識できる会社認識情報の登録を受け、後述される複数の移動通信端末器３００に一つの共有動画再生案内用アプリ３１０を共通で提供する機能を遂行する部材である。
【００２８】
このような機能を遂行するために、動画再生案内用アプリ共有案内管理サーバー１００にはＤＢ１１０が備えられる。
【００２９】
このように、備えられるＤＢ１１０には後述されるコンテンツ提供会社サーバー２００を運営する複数のコンテンツ提供会社の住所地と連絡先を含む身上情報及び当該コンテンツ提供会社のＩＤ及びパスワード情報が保存されるコンテンツ提供会社会員目録情報ＤＢ１１１、動画コンテンツを再生する動画再生ユニットが備えられた動画視聴案内画面３３０を有するものであって、動画視聴時に必要な複数の画面からなる動画視聴関連案内画面目録を含んで、動画を視聴することに必要な動画視聴サービスを提供する共有動画再生案内用アプリが保存された共有動画再生案内用アプリ情報ＤＢ１１２、コンテンツ提供会社で提供する動画コンデンツを認識することに用いられる会社認識情報及びコンテンツ提供会社であるのを識別できる会社識別コードがコンテンツ提供会社別に区分されて保存される会社認識情報目録情報ＤＢ１１３、共有動画再生案内用アプリの実行を要請するアプリ呼出エンジンが保存されたアプリ呼出エンジン情報ＤＢ１１４及び動画コンテンツの業種別に動画視聴時に必要とする複数の動画視聴関連必要オプション機能を選択的に追加することができる動画視聴オプションボタン選択モードのうちのコンテンツ提供会社別に動画視聴オプションボタン選択モードに表示される複数の動画視聴関連必要オプション機能のうちの必要な機能を個別選択した情報である選択動画視聴オプションボタン選択モード情報が保存された選択動画視聴オプションボタン選択モード目録情報ＤＢ１１５からなる。
【００３０】
ここで、後述される各コンテンツ提供会社サーバー２００を運営する複数のコンテンツ提供会社が身上情報や会社認識情報などを登録するためにアプリ共有案内管理サーバー１００ではホームページを運営することができる。そのために、ＤＢ部１１０にはホームページを運営するためのウェブページ目録が備えられて提供することができる。または、このように登録される各情報は各コンテンツ提供会社サーバー２００を運営する複数のコンテンツ提供会社がＵＳＢメモリスチックやＣＤ−ＲＯＭと記録媒体をアプリ共有案内管理サーバー１００を運営する管理者に伝達することによって、アプリ共有案内管理サーバー１００に登録するように提供することもできる。
【００３１】
また、会社認識情報目録情報ＤＢ１１３に保存される会社認識情報にはコンテンツ提供会社の会社名、コンテンツ提供会社のドメイン名及びコンテンツ提供会社の会社識別イメージが含まれる。このような会社認識情報の構成種類はこれを登録するコンテンツ提供会社の事情によって変わることがある。
【００３２】
このように、各コンテンツ提供会社サーバー２００で会社認識情報を登録するために動画再生案内用アプリ共有案内管理サーバー１００はホームページ書式情報である会社認識情報登録画面１２０を案内する。
【００３３】
このように、案内される会社認識情報登録画面１２０にはコンテンツ提供会社の会社名入力欄１２１、コンテンツ提供会社のドメイン名入力欄１２２及びコンテンツ提供会社の会社識別イメージ入力欄１２３が表示される。
【００３４】
ここで、ドメイン名入力欄１２２はコンテンツ提供会社のハングルドメインまたは英文ドメインなどを入力することができる。
【００３５】
また、会社認識情報登録画面１２０には会社認識情報登録により発給されるコンテンツ提供会社の会社識別コード表示欄１２４が表示されるか、ユーザーが視聴する動画コンテンツの視聴関連内訳を参照して視聴関連イベント内訳情報を収集し、その収集された視聴関連イベント内訳情報の伝達を受けるための別途のドメインがある場合には提供される視聴関連イベント内訳情報伝達用ドメイン入力欄１２５が表示されるか、または共有動画再生案内用アプリ３１０の動作要請アイコン（図示せず）を選択時に見られるランチャーイメージを入力するランチャーイメージ入力欄１２６が表示されて提供することができる。このように、入力された各コンテンツ提供会社の会社認識情報は会社認識情報目録情報ＤＢ１１３に保存される。
【００３６】
そして選択動画視聴オプションボタン選択モード目録情報ＤＢ１１５に保存された選択動画視聴オプションボタン選択モード情報を説明するに先立ち、動画視聴基本ボタンモードを説明すれば、前述で言及した動画視聴案内画面３３０の動画再生ユニット３３１には再生及び停止ボタン３３２、早送りボタン３３３、巻き戻しボタン３３４などからなる動画視聴基本ボタンモードはユーザーが操作することができるように表示される構造を有する。
【００３７】
この時、多様な業種のコンテンツ提供会社でサービスする動画コンテンツの場合、学習、教育または映画観覧などによって動画コンテンツの視聴案内時の視聴に必要な視聴関連付加機能が異なるため、コンテンツ提供会社ごとに自分の業種によって多様な視聴関連付加機能のうちの自分の業種ごとに必要な付加機能を加減選別して選択することができるように案内することによって選択された情報が選択動画視聴オプションボタン選択モード情報である。
【００３８】
このような選択動画視聴オプションボタン選択モード情報を登録するための動画視聴オプションボタン選択モードに表示される複数の動画視聴関連必要オプション機能は、移動通信端末器３００に表示される動画再生ユニットの位置を横または縦に固定を要請する指定画面固定ボタン３３５、ユーザーが当該コンテンツ提供会社により提供する動画コンテンツの最近視聴した内訳の閲覧を要請する最近視聴内訳閲覧ボタン３３６、ユーザーが指定する視聴区間の繰り返しを要請する指定区間繰り返しボタン３３７、再生される動画コンテンツの倍速を設定する動画倍速ボタン３３８、ユーザーが再生中の動画コンテンツの重要区間をスクリプトしてそのスクリプトされた再生区間から再生されるように要請する視聴特定区間選択用ブックマークボタン３３９、画面の明るさを調節する上下動作用ジェスチャ３４３及びプログレスバーを調節する左右動作用ジェスチャ３４４などがあり得、このような機能はコンテンツ提供会社の要請によって継続して追加されて案内される。
【００３９】
複数を成すコンテンツ提供会社サーバー２００は、学習、教育または映画を含む動画コンテンツを保有し、後述される移動通信端末器３００が接続すると、当該動画コンテンツの目録を案内して動画コンテンツの閲覧のためのダウンロードサービスを支援し、アプリ共有案内管理サーバー１００に会社認識情報を登録する機能を遂行することができる。
【００４０】
このような機能を遂行するためにコンテンツ提供会社サーバー２００でもＤＢ部２１０が備えられる。
【００４１】
このように備えられるＤＢ部２１０には各コンテンツ提供会社で保有している動画コンテンツが保存される動画コンテンツ目録情報ＤＢ２１１、各コンテンツ提供会社からサービスされる動画コンテンツの視聴を用いるユーザーらのうちの会員として加入したユーザーらの住所地と連絡先を含む身上情報及び当該ユーザーのＩＤ及びパスワード情報が保存される会社加入会員目録情報ＤＢ２１２、コンテンツ提供会社であるのを識別できる会社識別コードが保存される会社識別コード情報ＤＢ２１３及び共有動画再生案内用アプリの実行を要請するアプリ呼出エンジンが保存されたアプリ呼出エンジン情報ＤＢ２１４からなる。
【００４２】
この時にも、後述される各移動通信端末器３００を所持するユーザーらが身上情報を登録するために、各コンテンツ提供会社サーバー２００ではモバイル用ホームページを運営することができる。そのために、ＤＢ部２１０にはモバイル用ホームページを運営するためのモバイルウェブページ目録が備えられて提供することができる。または、このように登録される情報はユーザーらがＵＳＢメモリスチックやＣＤ−ＲＯＭと記録媒体を各コンテンツ提供会社サーバー２００を運営する管理者に伝達することによって、コンテンツ提供会社サーバー２００に登録するように提供することもできる。
【００４３】
複数を成す移動通信端末器３００は各コンテンツ提供会社サーバー２００に接続して動画コンテンツのダウンロードを要請すると実行されるものであって、その要請された動画コンテンツのダウンロードを制御し、動画再生案内用アプリ共有案内管理サーバー１００に動画コンテンツのダウンロードを要請した当該コンテンツ提供会社の会社認識情報のダウンロードを要請して会社認識情報をダウンロードし、そのダウンロードされた会社認識情報をダウンロードされた当該動画コンテンツにパーシングして、そのダウンロードされた動画コンテンツがどのコンテンツ提供会社の所有なのかユーザーが認識して視聴することができるように案内する共有動画再生案内用アプリ３１０が搭載された端末であって、スマートホン（ｓｍａｒｔ  ｐｈｏｎｅ）、タブレットＰＣ、携帯電話機（ｍｏｂｉｌｅ  ｐｈｏｎｅ）、ノートパソコン、ＰＤＡ（Ｐｅｒｓｏｎａｌ  Ｄｉｇｉｔａｌ  Ａｓｓｉｓｔａｎｔｓ）またはＰＭＰ（Ｐｏｒｔａｂｌｅ  Ｍｕｌｔｉｍｅｄｉａ  Ｐｌａｙｅｒ）のように情報の入力、出力、保存、情報の加工及びモバイル通信体系下で情報の送受信などを遂行できる多様な機器に適用することができる。
【００４４】
このような機能を遂行する移動通信端末器３００に搭載される共有動画再生案内用アプリ３１０は移動通信端末器３００を通じて動画再生案内用アプリ共有案内管理サーバー１００でアプリストーアに登録したものをダウンロードすることができる。または、動画再生案内用アプリ共有案内管理サーバー１００に直接接続してダウンロードを要請すると、動画再生案内用アプリ共有案内管理サーバー１００では共有動画再生案内用アプリ情報ＤＢ１１２に保存された共有動画再生案内用アプリ３１０を当該移動通信端末器３００に伝送して提供するなど多様な形態に提供を受けることができる。
【００４５】
また、動画再生案内用アプリ共有案内管理サーバー１００は、各コンテンツ提供会社サーバー２００が会社認識情報を登録すると、会社認識情報目録情報ＤＢ１１３に保存すると共に、その会社認識情報を登録したコンテンツ提供会社を識別できる会社識別コードを生成してこれを会社認識情報目録情報ＤＢ１１３に保存し、その生成された会社識別コードを各コンテンツ提供会社サーバー２００ごとに提供し、各コンテンツ提供会社サーバー２００はその提供された会社識別コードを会社識別コード情報ＤＢ２１３に保存すると共に、移動通信端末器３００による動画コンテンツのダウンロード要請時に会社識別コードをその要請された動画コンテンツと共に提供し、移動通信端末器３００の共有動画再生案内用アプリ３１０は動画再生案内用アプリ共有案内管理サーバー１００に当該コンテンツ提供会社の会社認識情報のダウンロード要請時にその提供されたコンテンツ提供会社の会社識別コードを動画再生案内用アプリ共有案内管理サーバー１００に伝送することによって、動画再生案内用アプリ共有案内管理サーバー１００で当該コンテンツ提供会社の会社認識情報を認識することができるように提供する。
【００４６】
この時、各コンテンツ提供会社サーバー２００は移動通信端末器３００に会社識別コード及び要請された動画コンテンツを提供する時、当該ユーザーのＩＤ情報も集合して共に提供することができる。
【００４７】
また、動画再生案内用アプリ共有案内管理サーバー１００は、伝送されたコンテンツ提供会社の会社識別コードを会社認識情報目録情報ＤＢ１１３とマッチングしてマッチングされる情報がある場合、当該コンテンツ提供会社の会社認識情報を抽出して当該移動通信端末器３００に提供することができる。
【００４８】
この時、動画再生案内用アプリ共有案内管理サーバー１００は、マッチングされる識別コードがないか、あるとしても有効期間が満了した識別コードがマッチングされた場合、有効性がないと判断して当該移動通信端末器３００に会社認識情報を提供しない。
【００４９】
また、動画再生案内用アプリ共有案内管理サーバー１００には移動通信端末器３００に搭載された共有動画再生案内用アプリ３１０の実行を要請するアプリ呼出エンジンが保存され、動画再生案内用アプリ共有案内管理サーバー１００は各コンテンツ提供会社サーバー２００で会社認識情報を登録すると、アプリ呼出エンジン情報ＤＢ１１４からアプリ呼出エンジンを抽出してこれを各コンテンツ提供会社サーバー２００ごとに提供し、各コンテンツ提供会社サーバー２００はその伝送されるアプリ呼出エンジンをアプリ呼出エンジン情報ＤＢ２１４に保存すると共に、移動通信端末器３００で動画コンテンツのダウンロード要請時にアプリ呼出エンジン情報ＤＢ２１４からアプリ呼出エンジンを抽出してこれを移動通信端末器３００に伝送し、移動通信端末器３００はコンテンツ提供会社サーバー２００からアプリ呼出エンジンが伝送されると、これを認識して共有動画再生案内用アプリ３１０が実行されるように制御する機能を遂行する。
【００５０】
そして共有動画再生案内用アプリ３１０には動画コンテンツを再生する動画再生ユニット３３１が備えられた動画視聴案内画面３３０を有するものであって動画視聴時に必要な複数の画面からなる動画視聴関連案内画面目録を含み、動画視聴案内画面３３０の動画再生ユニット３３１には再生及び停止ボタン３３２、早送りボタン３３３、巻き戻しボタン３３４を含む動画視聴基本ボタンモードがユーザーが操作することができるように表示され、アプリ共有案内管理サーバー１００は各コンテンツ提供会社サーバー２００で会社認識情報を登録時、動画再生ユニット３３１に表示された動画視聴基本ボタンモードと共に提供される動画の業種別に動画視聴時に必要とする複数の動画視聴関連必要オプション機能を選択的に追加することができる動画視聴オプションボタン選択モード情報を案内し、各コンテンツ提供会社サーバー２００はその案内された動画視聴オプションボタン選択モードに表示される複数の動画視聴関連必要オプション機能のうちの必要な機能を個別選択し、アプリ共有案内管理サーバー１００は各コンテンツ提供会社サーバー２００で選択した複数の動画視聴関連必要オプション機能からなる選択動画視聴オプションボタン選択モードを選択動画視聴オプションボタン選択モード目録情報ＤＢ１１５に保存する機能を遂行する。
【００５１】
これと共に、アプリ共有案内管理サーバー１００は保存された各コンテンツ提供会社サーバー２００の選択動画視聴オプションボタン選択モード情報を各移動通信端末器３００で会社認識情報のダウンロード要請時に選択動画視聴オプションボタン選択モード目録情報ＤＢ１１５から抽出してそのダウンロード要請された当該コンテンツ提供会社の会社認識情報に集合した状態で伝送されるように制御する。
【００５２】
これにより、移動通信端末器３００の共有動画再生案内用アプリ３１０はユーザーがダウンロードされた動画コンテンツの視聴要請発生時に動画視聴案内画面３３０の動画再生ユニット３３１を通じて選択動画視聴オプションボタン選択モードを成す複数の動画視聴関連必要オプション機能がユーザーらにより操作できるように表示されるように制御する。
【００５３】
つまり、ユーザーが移動通信端末器３００に表示される共有動画再生案内用アプリ３１０の動作要請アイコンを選択すると、共有動画再生案内用アプリ３１０は動画視聴関連案内画面目録からコンテンツ提供会社選択画面３２０を抽出してユーザーが認識することができるように移動通信端末器３００に表示する。
【００５４】
このように、表示されるコンテンツ提供会社選択画面３２０にはコンテンツ提供会社の会社名表示領域３２１、コンテンツ提供会社のドメイン名表示領域３２２、コンテンツ提供会社の会社識別イメージ領域３２３及びユーザーのＩＤ表示領域３２４が表示されることによって、ユーザーは自分がダウンロードした様々なコンテンツ提供会社を識別することができ、希望するコンテンツ提供会社を選択して動画視聴を行う。
【００５５】
また、移動通信端末器３００に表示されるコンテンツ提供会社選択画面３２０で動画コンテンツの視聴を希望する当該コンテンツ提供会社を選択時、出力される動画視聴案内画面３３０上には動画再生ユニット３３１が備えられる。
【００５６】
その備えられる動画再生ユニット３３１には再生及び停止ボタン３３２、早送りボタン３３３、巻き戻しボタン３３４を含む動画視聴基本ボタンモードがユーザーが操作することができるように表示される。
【００５７】
また、動画再生ユニット３３１には動画視聴基本ボタンモードと共に動画視聴オプションボタン選択モードに含まれる複数の動画視聴関連必要オプション機能が全て備えられ、共有動画再生案内用アプリ３１０はコンテンツ提供会社が選別して加減選択した選択動画視聴オプションボタン選択モード情報のみ表示されるように制御する。
【００５８】
このように動画再生ユニット３３１に表示される選択動画視聴オプションボタン選択モード情報には動画再生ユニットの位置を横または縦に固定を要請する指定画面固定ボタン３３５があり、これを選択すると、図７（ａ）を参照して横モード画面に固定されるか、図７（ｂ）を参照して縦モード画面に固定される機能を提供する。
【００５９】
また、選択動画視聴オプションボタン選択モード情報としてユーザーが当該コンテンツ提供会社でサービスする動画コンテンツの最近視聴した内訳の閲覧を要請する最近視聴内訳閲覧ボタン３３６があり、これを選択すると、図８を参照して当該コンテンツ提供会社でサービスする動画コンテンツの最近視聴した内訳が表示される機能を提供する。
【００６０】
また、選択動画視聴オプションボタン選択モード情報としてユーザーが開始区間及び終了区間を指定する視聴区間の繰り返しを要請する指定区間繰り返しボタン３３７があり、これを選択すると、図９を参照してユーザーが指定した区間が繰り返し再生される機能を提供する。
【００６１】
また、選択動画視聴オプションボタン選択モード情報として再生される動画コンテンツの倍速を設定する動画倍速ボタン３３８があり、これを選択すると、図１０を参照してユーザーが設定した倍速で動画が再生される機能を提供する。
【００６２】
また、選択動画視聴オプションボタン選択モード情報としてユーザーが再生中の動画コンテンツの重要区間をスクリプトし、そのスクリプトされた再生区間から再生されるように要請する視聴特定区間選択用ブックマークボタン３３９があり、これを選択すると、図１１を参照してスクリプトした区間がそのスクリプトされた再生区間から再生される機能を提供する。
【００６３】
この時、図１１ａ及び図１１ｂを参照して追加メニュー３４１を選択すると、ユーザーが希望する区間をスクリプトすることができ、複数のスクリプトも可能であり、編集メニュー３４２を通じてスクリプトされた区間の編集機能も提供する。
【００６４】
また、選択動画視聴オプションボタン選択モード情報として画面の明るさを調節する上下動作用ジェスチャ３４３及びプログレスバーを調節する左右動作用ジェスチャ３４４があり、このうちの上下動作用ジェスチャ３４３を行うと、図１２ａを参照して動画再生ユニット３３１の画面明るさが調節される機能と共に、左右動作用ジェスチャ３４４を行うと、図１２ｂを参照してプログレスバーが調節される機能を提供する。
【００６５】
以下、以上のように構成される、本発明の一つの動画再生案内用アプリを複数のコンテンツ提供会社が使用可能であるように管理する移動通信基盤の管理システムを用いて一つの動画再生案内用アプリを複数のコンテンツ提供会社が使用可能であるように管理する方法を説明する。
【００６６】
まず、各コンテンツ提供会社サーバー２００は動画再生案内用アプリ共有案内管理サーバー１００に接続すると、会社認識情報登録画面１２０をその接続した各コンテンツ提供会社サーバー２００に案内し、各コンテンツ提供会社サーバー２００はその案内された会社認識情報登録画面１２０のコンテンツ提供会社の会社名入力欄１２１、コンテンツ提供会社のドメイン名入力欄１２２及びコンテンツ提供会社の会社識別イメージ入力欄１２３にそれぞれ入力様式に合うように入力した後に登録すると、アプリ共有案内管理サーバー１００はこれを会社認識情報目録情報ＤＢ１１３に保存（Ｓ１００）する。
【００６７】
この時、アプリ共有案内管理サーバー１００は、各コンテンツ提供会社サーバー２００により会社認識情報が登録されると共に動画再生ユニット３３１に表示された動画視聴基本ボタンモードと共に提供される動画コンテンツの業種別に動画視聴時に必要とする複数の動画視聴関連必要オプション機能を選択的に追加することができる動画視聴オプションボタン選択モード情報をウェブページを通じて案内し、各コンテンツ提供会社サーバー２００はその案内された動画視聴オプションボタン選択モードに表示される複数の動画視聴関連必要オプション機能のうちの自分が属する業種で必要とする複数の動画視聴関連必要オプション機能を個別選択し、アプリ共有案内管理サーバー１００は各コンテンツ提供会社サーバー２００で選択した複数の動画視聴関連必要オプション機能からなる選択動画視聴オプションボタン選択モードを選択動画視聴オプションボタン選択モード目録情報ＤＢ１１５に保存する。
【００６８】
また、各コンテンツ提供会社サーバー２００は会社認識情報が変更される場合、その変更された会社認識情報を追加的に登録することができ、アプリ共有案内管理サーバー１００は会社認識情報目録情報ＤＢ１１３に保存された当該コンテンツ提供会社の会社認識情報を追加的に登録されたその変更された会社認識情報に更新して保存されるように制御することによって、以後は更新された会社認識情報が提供されるようにする。
【００６９】
その後、動画再生案内用アプリ共有案内管理サーバー１００は、会社認識情報が登録された、コンテンツ提供会社を識別するコードである会社識別コードを生成し、その生成された会社識別コードに共有動画再生案内用アプリの実行を要請するアプリ呼出エンジンを集合した後、当該コンテンツ提供会社サーバー２００に伝送（Ｓ１１０）する。
【００７０】
コンテンツ提供会社サーバー２００は動画再生案内用アプリ共有案内管理サーバー１００から伝送された会社識別コード及びアプリ呼出エンジンを会社識別コード情報ＤＢ２１３及びアプリ呼出エンジン情報ＤＢ２１４にそれぞれ保存管理する。
【００７１】
また、ユーザーはコンテンツ提供会社サーバー２００でサービスする動画コンテンツの視聴のために、移動通信端末器３００を用いてアプリストーア（ａｐｐ  ｓｔｏｒｅ）に接続して動画再生案内用アプリ共有案内管理サーバー１００で提供する共有動画再生案内用アプリ３１０をダウンロードして設置（Ｓ１２０）する。
【００７２】
その後、ユーザーは移動通信端末器３００を操作してコンテンツ提供会社サーバー２００で運営するモバイルホームページに接続してコンテンツ提供会社サーバー２００で保有した動画コンテンツのリストの案内を受け、その案内された動画コンテンツのリストの中の視聴を希望する当該動画コンテンツを選択してダウンロードを要請（Ｓ１３０）する。
【００７３】
これにより、コンテンツ提供会社サーバー２００は視聴を希望する当該動画コンテンツを選択した移動通信端末器３００にまず、会社識別コード情報ＤＢ２１３及びアプリ呼出エンジン情報ＤＢ２１４にそれぞれ保存された会社識別コード及びアプリ呼出エンジンを抽出し、その抽出された会社識別コード及びアプリ呼出エンジンを集合してなったアプリ実行制御信号を当該移動通信端末器３００に伝送（Ｓ１４０）する。
【００７４】
この時、コンテンツ提供会社サーバー２００はアプリ実行制御信号に視聴を希望する当該動画コンテンツの保存位置を示すＶＯＤ  ＵＲＬ情報を集合して移動通信端末器３００に伝送されるように制御（Ｓ１４１）する。
【００７５】
移動通信端末器３００はコンテンツ提供会社サーバー２００から伝送されたアプリ実行制御信号に含まれているアプリ呼出エンジンを参照して共有動画再生案内用アプリ３１０を実行（Ｓ１５０）する。
【００７６】
実行された移動通信端末器３００の共有動画再生案内用アプリ３１０はコンテンツ提供会社サーバー２００から伝送された会社識別コードを含む会社認識情報ダウンロード要請信号を生成して動画再生案内用アプリ共有案内管理サーバー１００に伝送（Ｓ１６０）する。
【００７７】
動画再生案内用アプリ共有案内管理サーバー１００は移動通信端末器３００から伝送された会社認識情報ダウンロード要請信号に含まれている会社識別コードを会社認識情報目録情報ＤＢ１１３とマッチングしてマッチングされる会社識別コードに連係される当該コンテンツ提供会社の会社認識情報を抽出し、その抽出された当該コンテンツ提供会社の会社認識情報を移動通信端末器３００に伝送（Ｓ１７０）する。
【００７８】
この時、動画再生案内用アプリ共有案内管理サーバー１００は選択動画視聴オプションボタン選択モード目録情報ＤＢ１１５及び会社認識情報目録情報ＤＢ１１３から当該コンテンツ提供会社の選択動画視聴オプションボタン選択モード情報及び当該コンテンツ提供会社のドメイン名をそれぞれ抽出し、その抽出された選択動画視聴オプションボタン選択モード情報及び当該コンテンツ提供会社のドメイン名を当該コンテンツ提供会社の会社認識情報に集合して伝送されるように制御する。
【００７９】
移動通信端末器３００の共有動画再生案内用アプリ３１０はコンテンツ提供会社サーバー２００からダウンロードされた動画コンテンツに会社認識情報をパーシングして、そのダウンロードされた動画コンテンツがどのコンテンツ提供会社の所有なのかユーザーが認識して視聴することができるように案内（Ｓ１８０）し、その細部過程は次の通りである。
【００８０】
まず、移動通信端末器３００の共有動画再生案内用アプリ３１０は動画再生案内用アプリ共有案内管理サーバー１００からコンテンツ提供会社の会社認識情報が伝送されると、これを保存した後にダウンロード要請された当該動画コンテンツのＶＯＤ  ＵＲＬ情報をコンテンツ提供会社サーバー２００に伝送（Ｓ１８１）する。
【００８１】
この時、移動通信端末器３００の共有動画再生案内用アプリ３１０は伝送された以前に保存された会社認識情報と共有動画アプリ共有案内管理サーバー１００から伝送された会社認識情報とを比較して異なる場合、共有動画アプリ共有案内管理サーバー１００から伝送された会社認識情報に更新保存されるように制御する。
【００８２】
これは、コンテンツ提供会社サーバー２００で変更された会社認識情報を登録する場合にこれを反映するためである。そして、移動通信端末器３００の共有動画再生案内用アプリ３１０が伝送された会社認識情報を保存する主な理由は、インターネットサービスが支援されない環境下で共有動画アプリ共有案内管理サーバー１００に接続されず会社認識情報をダウンロードできない場合に以前に保存された会社認識情報を用いてパーシングすることができるように提供するためである。
【００８３】
その後、コンテンツ提供会社サーバー２００は移動通信端末器３００から伝送されたＶＯＤ  ＵＲＬ情報とマッチングされる動画コンテンツを移動通信端末器３００に伝送（Ｓ１８２）する。
【００８４】
移動通信端末器３００はコンテンツ提供会社サーバー２００から伝送された動画コンテンツを保存（Ｓ１８３）する。
【００８５】
その後、移動通信端末器３００の共有動画再生案内用アプリ３１０はユーザーが動作要請アイコンを選択することにダウンロードされた動画コンテンツの視聴要請があるか確認（Ｓ１８４）し、ダウンロードされた動画コンテンツの視聴要請がない場合には動作要請アイコンを選択することにダウンロードされた動画コンテンツの視聴要請があるまで待機（Ｓ１８７）する。
【００８６】
また、移動通信端末器３００の共有動画再生案内用アプリ３１０はダウンロードされた動画コンテンツの視聴要請がある場合、ダウンロードされた動画コンテンツに会社認識情報をパーシングして、そのダウンロードされた動画コンテンツがどのコンテンツ提供会社の所有なのかユーザーが認識することができるように表示（Ｓ１８５）する。
【００８７】
この時、移動通信端末器３００の共有動画再生案内用アプリ３１０はダウンロードされた動画コンテンツが少なくとも２つであり、その少なくとも２つのダウンロードされた動画コンテンツが他のコンテンツ提供会社サーバー２００からダウンロードされた場合、それぞれのコンテンツ提供会社サーバー２００を運営するそれぞれのコンテンツ提供会社の会社認識情報を当該コンテンツ提供会社の動画コンテンツにそれぞれパーシングして、これをユーザーが認識することができるように案内する。
【００８８】
移動通信端末器３００の共有動画再生案内用アプリ３１０で前記表示された会社認識情報がパーシングされた動画コンテンツが選択されると、動画再生ユニット３３１が備えられた動画視聴案内画面３３０を出力し、その出力された動画視聴案内画面３３０の動画再生ユニット３３１を通じて前記選択された動画コンテンツが出力されるように制御（Ｓ１８６）し、この時、移動通信端末器３００の共有動画再生案内用アプリ３１０は動画視聴案内画面３３０の動画再生ユニット３３１に動画視聴基本ボタンモードと共に選択動画視聴オプションボタン選択モードを成す複数の動画視聴関連必要オプション機能もユーザーらが操作することができるように表示して出力されるように制御する。
【００８９】
そして移動通信端末器３００の共有動画再生案内用アプリ３１０はユーザーが視聴する動画コンテンツの視聴関連内訳を参照して視聴関連イベント内訳情報を収集し、その収集された視聴関連イベント内訳情報を当該動画提供会社のドメインに伝送するように制御する。
【００９０】
ここで、収集される視聴関連イベント内訳情報には、共有動画再生案内用アプリ３１０の実行時点にイベントが発生されるｂｅｇｉｎ_ａｐｐイベント情報、動画コンテンツの再生時点にイベントが発生されるｂｅｇｉｎ_ｃｏｎｔｅｎｔイベント情報、動画コンテンツの終了時点にイベントが発生されるｅｎｄ_ｃｏｎｔｅｎｔイベント情報、動画コンテンツのダウンロード時にイベントが発生されるｄｏｗｎｌｏａｄ_ｃｏｎｔｅｎｔイベント情報、動画コンテンツの削除時にイベントが発生されるｄｅｌｅｔｅ_ｃｏｎｔｅｎｔイベント情報、移動通信端末器の機器情報登録アクション時にイベントが発生されるｒｅｇｉｓｔｅｒ_ｄｅｖｉｃｅ_ｉｄイベント情報及び移動通信端末器の機器情報削除アクション時にイベントが発生されるｕｎｒｅｇｉｓｔｅｒ_ｄｅｖｉｃｅ_ｉｄイベント情報などがある。
【００９１】
動画提供会社サーバー２００はその伝送される当該ユーザーの視聴関連イベント内訳情報を参照して学習性向分析や映画ジャンル分析のようなユーザー分析を行う。
【００９２】
尚、特許請求の範囲の項に図面との対照を便利にするために符号を記すが、該記入により本発明は添付図面の構造に限定されるものではない。
【符号の説明】
【００９３】
１００：動画再生案内用アプリ共有案内管理サーバー
１１０、２１０：ＤＢ部
１１１：コンテンツ提供会社会員目録情報ＤＢ
１１２：共有動画再生案内用アプリ情報ＤＢ
１１３：会社認識情報目録情報ＤＢ
１１４：アプリ呼出エンジン情報ＤＢ
１１５：選択動画視聴オプションボタン選択モード目録情報ＤＢ
１２０：会社認識情報登録画面
１２１：会社名入力欄
１２２：ドメイン名入力欄
１２３：会社識別イメージ入力欄
１２４：会社識別コード表示欄
１２５：視聴関連イベント内訳情報伝達用ドメイン入力欄
１２６：ランチャーイメージ入力欄
２００：動画コンテンツ提供会社サーバー
２１１：動画コンテンツ目録情報ＤＢ
２１２：会社加入会員目録情報ＤＢ
２１３：会社識別コード情報ＤＢ
２１４：アプリ呼出エンジン情報ＤＢ
３００：移動通信端末器
３１０：共有動画再生案内用アプリ
３２０：コンテンツ提供会社選択画面
３２１：会社名表示領域
３２２：ドメイン名表示領域
３２３：会社識別イメージ領域
３２４：ＩＤ表示領域
３３５：指定画面固定ボタン
３３６：最近視聴内訳閲覧ボタン
３３７：指定区間繰り返しボタン
３３８：動画倍速ボタン
３３９：視聴特定区間選択用ブックマークボタン
３４１：追加メニュー
３４２：編集メニュー
３４３：上下動作用ジェスチャ
３４４：左右動作用ジェスチャ
【図１】
0005913428.tif 000002
【図２】
0005913428.tif 000003
【図３】
0005913428.tif 000004
【図１３】
0005913428.tif 000005
【図１４】
0005913428.tif 000006
【図４】
0005913428.tif 000007
【図５】
0005913428.tif 000008
【図６】
0005913428.tif 000009
【図７】
0005913428.tif 000010
【図８】
0005913428.tif 000011
【図９】
0005913428.tif 000012
【図１０】
0005913428.tif 000013
【図１１】
0005913428.tif 000014
【図１２】
0005913428.tif 000015